(57)【要約】      （修正有）【課題】重要な情報を含む車両近辺の映像の画質の劣化を最小限に抑えながら、車両遠方の映像の画質劣化を改善することにより、最適な画像品質を実現することができる車両周辺視認装置を提供すること。【解決手段】車両周辺を撮像可能に車両に取り付けられた撮像手段（カメラ１０）と、前記撮像手段（カメラ１０）により撮像された映像を俯瞰変換処理して俯瞰画像とする俯瞰変換処理手段（俯瞰変換装置１１）と、前記俯瞰変換処理手段（俯瞰変換装置１１）により俯瞰変換された俯瞰画像をフィルタ処理する画質改善フィルタ（１２）と、前記画質改善フィルタ（１２）によりフィルタ処理された画像を映し出すモニター（１３）を備えている。しかも、前記画質改善フィルタ（１２）は、前記俯瞰画像の画素を車両近辺から車両遠方に向かうに従ってフィルタ処理の強さを順次大きくするように設定されている。【選択図】図１
2007249392.tif 000002
【特許請求の範囲】
【請求項１】
車両周辺を撮像可能に車両に取り付けられた撮像手段と、
前記撮像手段により撮像された映像を俯瞰変換処理して俯瞰画像とする俯瞰変換処理手段と、
前記俯瞰変換処理手段により俯瞰変換された俯瞰画像をフィルタ処理する画質改善フィルタと、前記画質改善フィルタによりフィルタ処理された画像を映し出すモニターを備える車両周辺視認装置であって、
前記画質改善フィルタは、前記俯瞰画像の画素を車両近辺から車両遠方に向かうに従ってフィルタ処理の強さを順次大きくするように設定されていることを特徴とする車両周辺視認装置。
【請求項２】
請求項１に記載の車両周辺視認装置において、前記画質改善フィルタは、前記俯瞰変換処理手段により最近傍補間法で俯瞰変換された俯瞰画像をボカすフィルタ処理をすると共に、車両近辺から車両遠方に向かうに従ってフィルタ処理のボカシ程度を順次大きくするボカシフィルタであることを特徴とする車両周辺視認装置。
【請求項３】
請求項１に記載の車両周辺視認装置において、前記画質改善フィルタは、前記俯瞰変換処理手段により線形補間法で俯瞰変換された俯瞰画像のエッジを強調するフィルタ処理をすると共に、車両近辺から車両遠方に向かうに従ってフィルタ処理の強調程度を順次大きくするシャープフィルタであることを特徴とする車両周辺視認装置。
【発明の詳細な説明】
【技術分野】
【０００１】
本発明は、撮像手段により撮像される車両周辺の画像の画質を改善するフィルタが設けられた車両周辺視認装置に関するものである。
【背景技術】
【０００２】
一般に、運転初心者やトラック等の後方視界が悪い車両の運転者にとって、駐車エリアへの車両進入は困難を伴うものである。そこで、トランク先端の車幅方向中央部やナンバープレート照明位置などの車両後端にカメラを設定し、このカメラで撮像された映像をナビゲーション等のモニターに映し出すことにより、安全に駐車エリアへの車両誘導が実現できるようにしたものが知られている。
【０００３】
このカメラとしては通常広角カメラを使用しており、この広角カメラで駐車場の駐車スペースを撮像した場合、例えば図７（ａ）のような駐車場の映像１が得られる。
【０００４】
この図７（ａ）では、駐車場の実際には平行な縦ライン２，３とこれらに垂直な横ライン４で設定された駐車スペースＮＯ．３に車両が駐車するための映像１が得られている。
【０００５】
しかし、この広角カメラのレンズは周縁部に向かうに従ってレンズ歪が大きくなるものであった。しかも、この広角カメラによる映像１は低い取り付け位置の映像であるために、運転者は車両と周囲の位置関係を正確に把握し難いものであった。このため、映像１では、実際には平行な縦ライン２，３が、広角カメラで撮像された映像では車両後端部から離れるに従って間隔が狭くなると共に、遠方側ではレンズの歪曲収差のために極端に湾曲するような画像となっていた。
【０００６】
そこで、このカメラによる視認機能を発展させたものとして、図７（ｂ）に示すように図７（ａ）のような映像を俯瞰変換して、図７（ａ）の縦ライン２，３が図７（ｂ）の縦ライン２′、３′のように平行となる画像１′とすることにより上記の問題点を解決するようにした技術も知られている（例えば、特許文献１参照）。この俯瞰変換では、広角カメラで撮像された映像の手前の映像部は等倍あるいは縮小して、奥の映像部は拡大するような画像処理をしている。
【０００７】
ところで、例えば、図８（ａ）のように広角カメラで撮像された映像５のなかに多数個の円６ａ１〜６ａｎからなる円列６，多数個の円７ａ１〜７ａｎからなる円列７，多数個の円８ａ１〜８ａｎからなる円列８の画像が得られたとする。この図８（ａ）の映像５では、円列６，７，８が平行且つ円６ａ１〜６ａｎ，円７ａ１〜７ａｎ，円８ａ１〜８ａｎは、それぞれ同じ直径で且つ真円の画像として得られている。
【０００８】
これを図７（ｂ）と同様な俯瞰変換処理したとき、図８（ａ）の円列６，７，８は図８（ｂ）の画像５′となる。この図８（ｂ）に示したような画像５′の円列６′，７′，８′では、下部では縮小された円となり、画像５′の上部では大きな楕円となる。即ち、円列６′，７′，８′は下部から上部に向かうに従って徐々に楕円が細長くなると共に大きくなり、且つ円列６′の円６ａ１′〜６ａｎ′、円列７′の円７ａ１′〜７ａｎ′、円列８′の円８ａ１′〜８ａｎ′の間隔が大きくなる。
【０００９】
このような画像５′の拡大は、元の映像（画像）５の画素を再配置すると共に、これらの間に元画像にない新たな画素（補間画素）を作り出す操作が必要となる。この手法として一般に
（ア）．ニアレストネイバー法（最近傍補間法）
（イ）．バイリニア法（線形補間法）
（ウ）．バイキュービック法（スプライン補間法）
等の補間処理技術が知られている。
【００１０】
このような補間処理技術の中で装置をハードを中心として構成した場合には、（ア）のニアレストネイバー法が使われている場合が多い。これは、補間画素として最も近い位置に配置された元画素と同じ値を用いるものである。図９は、このニアレストネイバー法による処理の例を示したものである。この図９（ａ）は図８（ａ）の右上の円８ａｎを示し、図９（ｂ）は図８（ａ）の右上の円８ａｎを補間処理して得られた図８（ｂ）の右上の楕円８ａｎ′の一部を拡大して示したものである。
【００１１】
また、ソフトウェアで処理を行う場合には、（イ）のバイリニア法が使われる場合も多い。これは、補間画素として最も近い位置に配置された上下・左右の４つの元画素から、線形的に値を補間するものである。図１０はこのバイリニア法を用いた場合のフィルタ処理の説明図である。この図１０（ａ）は図８（ａ）の右上の円８ａｎを示し、図１０（ｂ）は図８（ａ）の右上の円８ａｎをバイリニア法で補間処理して得られた楕円８ａｎ′′の一部を拡大して示したものである。
【００１２】
尚、（ウ）のバイキュービック法を用いた俯瞰処理は最も画像劣化が少ない手法であるが、三次多項式の演算処理になるために、俯瞰処理に時間が掛かり、適用例は少ない。このバイキュービック法の画質向上の考え方は（イ）のバイリニア法と同様である。
【特許文献１】特開２００５−３１１６６６号公報
【発明の開示】
【発明が解決しようとする課題】
【００１３】
しかしながら、ニアレストネイバー法を用いた場合の映像の変換結果は、図９（ｂ）に示したように画像変化のブロックが楕円８ａｎ′のように大きくなると、楕円８ａｎ′の周縁のギザギザ感が目立つような状態となる。このギザギザ感は画像全体の画質を低下させるものであった。
【００１４】
このために、実際の装置の場合には画質を改善するために、ニアレストネイバー法を使った場合にはギザギザ感を低減させる「ボカシフィルタ（低域通過フィルタ）」を俯瞰変換部の後段に用いられている。
【００１５】
しかし、このボカシフィルタは、広範囲の画素を使って演算する必要があり、結果としてボケがきつい映像となるものであった。
【００１６】
また、バイリニア法を使った場合の楕円８ａｎ′′にややギザギザ感は残ってしまう。しかし、バイリニア法を使って得られた画像の楕円８ａｎ′′は、図９（ｂ）のニアレストネイバー法により得られた画像の楕円８ａｎ′のきついギザギザ感と比較すると、図１０（ｂ）に示したようにギザギザ感が減少していることがわかる。しかし、このバイリニア法を使った場合には、楕円８ａｎ′′の映像の輪郭（周縁部）にボケが発生するのは避けられない。
【００１７】
このバイリニア法を使った場合には、輪郭を強調させる「シャープフィルタ（高域強調フィルタ）」を用いている。
【００１８】
しかし、この場合、車両近くの部分は過度に輪郭が強調されて、見難い画像となってしまうために好ましくない。
【００１９】
そこで、この発明は、重要な情報を含む車両近辺の映像の画質の劣化を最小限に抑えながら、車両遠方の映像の画質劣化を改善することにより、最適な画像品質を実現することができる車両周辺視認装置を提供することを目的とするものである。
【課題を解決するための手段】
【００２０】
この目的を達成するため、この発明は、車両周辺を撮像可能に車両に取り付けられた撮像手段と、前記撮像手段により撮像された映像を俯瞰変換処理して俯瞰画像とする俯瞰変換処理手段と、前記俯瞰変換処理手段により俯瞰変換された俯瞰画像をフィルタ処理する画質改善フィルタと、前記画質改善フィルタによりフィルタ処理された画像を映し出すモニターを備える車両周辺視認装置であって、前記画質改善フィルタは、前記俯瞰画像の画素を車両近辺から車両遠方に向かうに従ってフィルタ処理の強さを順次大きくするように設定されていることを特徴とする。
【発明の効果】
【００２１】
この構成によれば、画質改善処理を行うためのフィルタ係数を、処理を行う画面の位置に応じて変化させることにより、変換時に画質劣化が激しい車両遠方の画像に強いフィルタ効果を、画質劣化が少ない車両近くの画像に弱いフィルタ効果をかける。
【００２２】
このように重要な情報を含む車両近辺の映像の画質の劣化を最小限に抑えながら、車両遠方の映像の画質劣化を改善することにより、最適な画像品質を実現することができる。
【発明を実施するための最良の形態】
【００２３】
以下、本発明の実施形態について、図面に基づいて説明する。
【００２４】
図１は、この発明に係る車両周辺視認装置のブロック図である。この図１において、カメラ（広角カメラ）１０は、車両後方を撮像するように、図示しないトランク先端の車幅方向中央部やナンバープレート照明位置などの車両後端に取り付けられている。
【００２５】
図２（ａ）は、カメラ１０で撮像された車両後部周辺の映像１０ａを示したものである。この映像１０ａにおいて、縦ラインＬ１，Ｌ２及び横ラインＬ３は駐車スペースＮＯ．３を設定するために設けられたものである。この縦ラインＬ１，Ｌ２は実際には平行に設けられている。しかし、広角のカメラ１０で撮像された映像１０ａでは、駐車スペースＮＯ．３を設定している縦ラインＬ１，Ｌ２の間隔が上端（車両から離れた部分）に向かうに従って狭くなると共に、縦ラインＬ１，Ｌ２自体がカメラ１０の図示しない広角レンズの歪曲収差のために湾曲している。
【００２６】
また、カメラ１０で撮像された映像信号は俯瞰変換手段である俯瞰変換装置（俯瞰変換処理回路）１１に入力される。この俯瞰変換装置１１は、カメラ１０で撮像された車両後方周辺の映像１０ａ[図２（ａ）参照]の縦ラインＬ１，Ｌ２が図２（ｂ）の縦ラインＬ１′，Ｌ２′で示したように平行となるような俯瞰処理をするようになっている。この図２（ｂ）は、俯瞰処理された俯瞰画像１０ｂを示したものである。
【００２７】
そして、この俯瞰変換装置１１で俯瞰処理された俯瞰画像１０ｂは画質改善フィルタ１２に入力され、この画質改善フィルタ１２で画質を改善した画像が表示手段であるナビゲーション等のモニター（表示装置）１３に入力されて映し出されるようになっている。
【００２８】
ここで、図２（ｂ）の俯瞰画像１０ｂの左上端を原点とし、この原点から俯瞰画像１０ｂの横方向の画素位置をｉ、原点から縦方向の画素位置をｊとすると、図２（ｂ）の最下部のＶｅｒｔが画素位置ｊの値の一つの有効画像縦方向ライン位置となる。尚、俯瞰画像１０ｂの最下部には車両の後端を表すイラストをインポーズする場合が多いので、俯瞰画像１０ｂの最下部の部分はカメラ１０で実際に得られる映像の最下端部とは必ずしも一致しない。図２（ｂ）の俯瞰画像１０ｂの最下端部には、マスク処理部１０ｃが設けられている。
【００２９】
この俯瞰画像１０ｂの画質は、図３に示したように、映像下部（俯瞰画像１０ｂの下部、即ち車両近辺）が良好で、映像上部（俯瞰画像１０ｂの上部、即ち車両遠方）が悪い。また、俯瞰画像１０ｂの重要度は、図３に示したように、映像下部（俯瞰画像１０ｂの下部、即ち車両近辺）が重く、映像上部（俯瞰画像１０ｂの上部、即ち車両遠方）が軽い。これは、車両近辺の画像を視認しながら駐車のためのハンドル操作を行うことが普通であるからである。
【００３０】
従って、俯瞰画像１０ｂのうち車両近辺の画質の良好な部分はフィルタ処理を弱くし、俯瞰画像１０ｂのうち車両遠方の画質の悪い部分はフィルタ処理を強くすると良い。即ち、俯瞰画像１０ｂのフィルタ処理は車両遠方に向かうに従って徐々に強くして行くのが望ましい。
【００３１】
この補間処理の画質改善フィルタ１２としては、ニアレストネイバー法を用いた場合にはボカシフィルタを使用することができ、又はバイリニア法を用いた場合にはシャープフィルタを使用することができる。
【００３２】
図４は、俯瞰処理した俯瞰画像１０ｂの上下（カメラ撮影の遠方・近辺）の部分を画質改善フィルタ１２でフィルタ処理する場合において、画質改善フィルタ１２としてニアレストネイバー法による補間処理の俯瞰画像１０ｂに対してボカシフィルタを用いた例を示したものである。
【００３３】
この図４のボカシフィルタにおいて、俯瞰画像１０ｂを構成する画素（ｉ，ｊ）のうち注目画素Ｐ（i,j）をフィルタ処理する場合、例えば注目画素Ｐ（i,j）に対して縦横に一つ間隔を置いた菱形状の周囲画素Ｐ１〜Ｐ８を抽出して、注目画素Ｐ（i,j）と周囲画素Ｐ１〜Ｐ８の合計が１となるようなフィルタの係数ａ，ｂ，ｃを設定する。図４では、フィルタの係数ａ，ｂ，ｃは、
ａ＝３２−４×（ｂ＋ｃ）      式(1)
ｂ＝２×ｃ                  式(2)
ｃ＝２−（２×ｊ／ｖｅｒｔ）        式(3)
に設定される。しかも、例えば係数ａ，ｂ，ｃは、
（ａ）画像最上部では、ａ＝８、ｂ＝４、  ｃ＝２
（ｂ）有効画像最下部Ｖｅｒｔでは、ａ＝３２、ｂ＝ｃ＝０
に設定する。尚、画像最上部と有効画像最下部Ｖｅｒｔとの間は、有効画像最下部Ｖｅｒｔ（車両近辺）から画像最上部（車両遠方）に向かうに従って徐々に係数ａ，ｂ，ｃを大きくなるように変化させることにより、画像最上部（車両遠方）に向かうに従って徐々にフィルタ処理の強さを大きくするようになっている。
【００３４】
これにより、俯瞰画像１０ｂの上部では大きな拡大率の為に発生したギザギザ感を減少させるために大きなボカシ効果が得られるフィルタ係数となる。しかも、俯瞰画像１０ｂの下部に向かうに従ってフィルタの効果が次第（徐々に）に弱くなり、即ち拡大率が小さく（縮小の場合もある）なるに従ってギザギザ感が更に少なくなる。そして、俯瞰画像１０ｂの下部の車両近辺ではギザギザ感が殆ど発生しないので、俯瞰画像１０ｂの下部の劣化も少ない。また、有効画像最下部Ｖｅｒｔでは ボカシ効果 がゼロとなる。これにより、俯瞰画像１０ｂのうち重要な情報を含む車両近辺の画質を不要なボカシによって劣化させることなく画像全体の画質を最適化する事が出来るようになっている。
【００３５】
図５は、俯瞰処理した俯瞰画像１０ｂの上下（カメラ撮影の遠方・近辺）の部分を画質改善フィルタ１２でフィルタ処理する場合において、画質改善フィルタ１２としてバイリニア法による補間処理の俯瞰画像１０ｂに対してシャープフィルタを用いた例を示したものである。
【００３６】
この図５のシャープフィルタにおいて、俯瞰画像１０ｂを構成する画素（ｉ，ｊ）のうち注目画素Ｐ（i,j）をフィルタ処理する場合、例えば注目画素Ｐ（i,j）に対して周囲画素Ｐ１〜Ｐ８を抽出して、注目画素Ｐ（i,j）と周囲画素Ｐ１〜Ｐ８の合計が１となるようなフィルタの係数ａ，ｂ，ｃを設定する。図５では、フィルタの係数ａ，ｂ，ｃは、
ａ＝１６−４×（ｂ＋ｃ）      式(1)
ｂ＝２×ｃ                  式(2)
ｃ＝１−（ｊ／ｖｅｒｔ）    式(3)
に設定されている。しかも、例えば係数ａ，ｂ，ｃは、
（ｃ）画像最上部では、ａ＝４、ｂ＝２、  ｃ＝１
（ｄ）有効画像最下部では、ａ＝８、ｂ＝ｃ＝０
に設定されている。
【００３７】
これにより、俯瞰画像１０ｂの上部（車両遠方）では大きな拡大率の為に発生したボケ感を減少させるために大きなシャープ効果が得られるフィルタ係数となる。俯瞰画像１０ｂの下部（車両近辺）になるに従って次第にフィルタの効果が弱くなり、即ち拡大率が小さく（縮小の場合もある）なるに従ってボケ感が少なくなる。そして、俯瞰画像１０ｂの劣化も少ない有効画像最下部Ｖｅｒｔでは 、シャープ効果がゼロとなる。これにより、重要な情報を含む車両近辺の画質を不要なエッジ強調により劣化させることなく画像全体の画質を最適化する事が出来る。
[作用]
次に、このような構成の車両周辺視認装置の作用を図６のフローチャートに基づいて説明する。
【００３８】
例えば、車両の変速装置がリバース（バック）の位置にシフト操作されたときに、図１のカメラ１０の電源がＯＮさせられて、カメラ１０の映像信号が俯瞰変換装置１１に動画として入力される。この俯瞰変換装置１１は、カメラ１０の映像信号に基づいて各フレームの画像を俯瞰処理して、この俯瞰処理した画像を画質改善フィルタ１２に順次入力する。
【００３９】
例えば、車両が駐車場において、変速装置がリバース（バック）の位置にシフト操作されたときには、図２（ａ）のような映像１０ａの映像信号がカメラ１０から出力されて、この映像信号が俯瞰変換装置１１に入力される。そして、俯瞰変換装置１１は、図２（ａ）の映像１０ａを図２（ｂ）の俯瞰画像１０ｂのように俯瞰変換処理をして図１の画質改善フィルタ１２に入力する。
【００４０】
この画質改善フィルタ１２は、俯瞰変換装置１１からの画像が入力されると、図６のフローチャートの処理が開始し、ステップＳ１の処理画素の取り込みを開始する。
ステップＳ１
このステップＳ１の処理画素の取り込みでは、俯瞰変換装置１１で俯瞰変換された俯瞰画像１０ｂの中から注目画素Ｐ（ｉ，ｊ）を取り込んでステップＳ２〜ステップＳ４に移行する。
ステップＳ２
このステップＳ２では、注目画素Ｐ（ｉ，ｊ）の位置の取り込みをして、ステップＳ５のフィルタ処理計数の決定を実行し、ステップＳ４に移行する。
ステップＳ３
このステップＳ３では、注目画素Ｐ（ｉ，ｊ）の周囲画素Ｐ１〜Ｐ８の取り込みを実行して、ステップＳ４にに移行する。
ステップＳ４
このステップＳ４では、画質改善フィルタ１２によるフィルタ処理のための演算処理が実行され、終了する。この画質改善フィルタ１２によるフィルタ処理は、図４のボカシフィルタ又は図５のシャープフィルタを用いて実行される。
【００４１】
この際、画質改善フィルタ１２に図４のボカシフィルタを用いた場合には、俯瞰画像１０ｂの上部では大きな拡大率の為に発生したギザギザ感を減少させるために大きなボカシ効果が得られるフィルタ係数となる。しかも、俯瞰画像１０ｂの下部に向かうに従ってフィルタの効果が次第（徐々に）に弱くなり、即ち拡大率が小さく（縮小の場合もある）なるに従ってギザギザ感が更に少なくなる。そして、俯瞰画像１０ｂの下部の車両近辺ではギザギザ感が殆ど発生しないので、俯瞰画像１０ｂの下部の劣化も少ない。また、有効画像最下部Ｖｅｒｔでは ボカシ効果 がゼロとなる。これにより、俯瞰画像１０ｂは、重要な情報を含む車両近辺の画質を不要なボカシによって劣化させることなく画像全体の画質を最適化されて、モニター１３に映し出される。運転者は、このモニター１３に映し出される画像を視認しながら、車両を後退操作して、所定の駐車スペース（図２（ａ）ではＮＯ．３）に駐車する。
【００４２】
また、画質改善フィルタ１２に図５のシャープフィルタを用いた場合には、俯瞰画像１０ｂの上部（車両遠方）では大きな拡大率の為に発生したボケ感を減少させるために大きなシャープ効果が得られるフィルタ係数となる。俯瞰画像１０ｂの下部（車両近辺）になるに従って次第にフィルタの効果が弱くなり、即ち拡大率が小さく（縮小の場合もある）なるに従ってボケ感が少なくなる。そして、俯瞰画像１０ｂの劣化も少ない有効画像最下部Ｖｅｒｔでは 、シャープ効果がゼロとなる。これにより、重要な情報を含む車両近辺の画質を不要なエッジ強調により劣化させることなく画像全体の画質を最適化されて、モニター１３に映し出される。運転者は、このモニター１３に映し出される画像を視認しながら、車両を後退操作して、所定の駐車スペース（図２（ａ）ではＮＯ．３）に駐車する。
【００４３】
尚、俯瞰変換装置１１はカメラ１０から出力される動画像の各フレーム毎に画像俯瞰変換処理して画質改善フィルタ１２に入力し、この画質改善フィルタ１２は各フレーム毎にステップＳ１〜４の処理を実行して、フィルタ処理がなされた画像がモニター１３に順次映し出される。これにより。運転者は、フィルタ処理がなされた動画像をモニター１３により視認しながら、車両の後退操作を行うことができる。
【００４４】
また、ここまで、カメラ画像の俯瞰変換として画像上部を車両遠方、画像下部を車両近辺の例を説明したが、車両からの距離を画面左右に対応した俯瞰変換の場合でも適用可能である。この場合には、画像の座標軸変数 ｊの値である有効画像最下部に対応する変数 ｖｅｒｔの代わりに画像の座標軸変数 ｉの値とすればよい。また、発明の範囲はフィルタのオペレータ係数の配置や画像各部における係数によって限定されるものではない（係数が変化する事が重要である）。
【００４５】
以上説明したように、この発明の実施の形態の車両周辺視認装置は、車両周辺を撮像可能に車両に取り付けられた撮像手段（カメラ１０）と、前記撮像手段（カメラ１０）により撮像された映像（１０ａ）を俯瞰変換処理して俯瞰画像（１０ｂ）とする俯瞰変換処理手段（俯瞰変換装置１１）と、前記俯瞰変換処理手段（俯瞰変換装置１１）により俯瞰変換された俯瞰画像（１０ｂ）をフィルタ処理する画質改善フィルタ（１２）と、前記画質改善フィルタ（１２）によりフィルタ処理された画像を映し出すモニター（１３）を備えている。しかも、前記画質改善フィルタ（１２）は、前記俯瞰画像（１０ｂ）の画素を車両近辺から車両遠方に向かうに従ってフィルタ処理の強さを順次大きくするように設定されている。
【００４６】
この構成によれば、画質改善処理を行うためのフィルタ係数を、処理を行う画面の位置に応じて変化させることにより、変換時に画質劣化が激しい車両遠方の画像に強いフィルタ効果を、画質劣化が少ない車両近くの画像に弱いフィルタ効果をかけることができる。このように重要な情報を含む車両近辺の画質の劣化を最小限に押さえながら、車両遠方の画質劣化を改善することにより、最適な画像品質を実現することができる。
【００４７】
また、この発明の実施の形態の車両周辺視認装置において、前記画質改善フィルタ（１２）は、前記俯瞰変換処理手段（俯瞰変換装置１１）によりニアレストネイバー法で俯瞰変換された俯瞰画像（１０ｂ）をボカすフィルタ処理をすると共に、前記俯瞰画像（１０ｂ）の画素を車両近辺から車両遠方に向かうに従ってフィルタ処理のボカシ程度を順次大きくするボカシフィルタとしている。
【００４８】
この構成によれば、俯瞰画像１０ｂは、重要な情報を含む車両近辺の画質を不要なボカシによって劣化させることなく画像全体の画質を最適化されて、モニター１３に映し出される。
【００４９】
更に、この発明の実施の形態の車両周辺視認装置において、前記画質改善フィルタ（１２）は、前記俯瞰変換処理手段（俯瞰変換装置１１）によりバイリニア法で俯瞰変換された俯瞰画像（１０ｂ）のエッジを強調するフィルタ処理をすると共に、前記俯瞰画像（１０ｂ）の画素を車両近辺から車両遠方に向かうに従ってフィルタ処理の強調程度を順次大きくするシャープフィルタとしている。
【００５０】
この構成によれば、重要な情報を含む車両近辺の画質を不要なエッジ強調により劣化させることなく画像全体の画質を最適化されて、モニター１３に映し出される。
【図面の簡単な説明】
【００５１】
【図１】この発明に係る車両周辺視認装置のブロック図である。
【図２】（ａ）は図１の車両周辺視認装置の撮像手段により得られた車両周辺の映像の一例を示す説明図、（ｂ）は（ａ）の映像を俯瞰処理装置により俯瞰処理した後の説明図である。
【図３】この発明に係る車両周辺の映像の重要度及び画質の良否の説明図である。
【図４】この発明に係る画質改善フィルタの一例を示す説明図である。
【図５】この発明に係る画質改善フィルタの他の例を示す説明図である。
【図６】図１の画質改善フィルタの処理状況を説明するためのフローチャートである。
【図７】（ａ）は従来の車両周辺視認装置の撮像手段により得られた車両周辺の映像の一例を示す説明図、（ｂ）は（ａ）の映像を俯瞰処理装置により俯瞰処理した後の説明図である。
【図８】（ａ）は従来の車両周辺視認装置の撮像手段により得られた映像の一例を示す説明図、（ｂ）は（ａ）の映像を俯瞰処理装置により俯瞰処理した後の説明図である。
【図９】（ａ）は図８（ａ）の映像の一部を拡大して示した説明図、（ｂ）は（ａ）の映像をニアレストネイバー法を用いて俯瞰処理した後の説明図である。
【図１０】（ａ）は図９（ａ）の映像の一部と同じ説明図、（ｂ）は（ａ）の映像をバイリニア法を用いて俯瞰処理した後の説明図である。
【符号の説明】
【００５２】
１０…カメラ（撮像手段）
１０ａ…映像
１０ｂ…俯瞰画像
１１…俯瞰変換装置（俯瞰変換処理手段）
１２…画質改善フィルタ
１３…モニター
【図１】
2007249392.tif 000003
【図２】
2007249392.tif 000004
【図３】
2007249392.tif 000005
【図４】
2007249392.tif 000006
【図５】
2007249392.tif 000007
【図６】
2007249392.tif 000008
【図７】
2007249392.tif 000009
【図８】
2007249392.tif 000010
【図９】
2007249392.tif 000011
【図１０】
2007249392.tif 000012